(57)【要約】【課題】作業者の負担を軽減する。【解決手段】作業員Ｗａ〜Ｗｅは、ＩＤデータを自動的に発信する無線タグ１ａ〜１ｅを携帯し、無線受信機３は、作業場Ｐ内の無線タグ１ａ〜１ｄから発信されるＩＤデータを受信し、受信したＩＤデータに対応する表示装置５の表示灯Ｌａ〜Ｌｄを点灯する。作業場Ｐ内の作業者が無線タグ１ａ〜１ｄの操作スイッチ２ａ〜２ｄを操作すると、無線タグ１ａ〜１ｄは操作データを発信し、無線受信機３は、作業場Ｐ内の無線タグ１ａ〜１ｄから発信される操作データを受信し、受信した操作データに対応する表示装置５の表示灯Ｌａ〜Ｌｄを点滅させる。【効果】煩雑な操作なしに正確な作業管理を行える。作業者は、部品追加などの要求を迅速に意思表示できる。【選択図】図１
2005173844.tif 000002
【特許請求の範囲】
【請求項１】
作業者に携帯されＩＤデータを自動的に発信する無線タグと、受信エリア内の前記無線タグから発信される前記ＩＤデータを受信する無線受信機と、前記無線受信機により前記ＩＤデータを受信した場合と受信しない場合とで異なる表示を行う表示手段とを具備したことを特徴とする作業者支援システム。
【請求項２】
作業者に携帯されＩＤデータを自動的に発信する無線タグと、受信エリア内の前記無線タグから発信される前記ＩＤデータを受信する無線受信機と、前記無線受信機による前記ＩＤデータの受信状態をネットワークを介して監視し前記作業者の入退場管理を行う情報処理装置とを具備したことを特徴とする作業者支援システム。
【請求項３】
請求項１または請求項２に記載の作業者支援システムにおいて、前記無線タグは、操作スイッチを具備し、前記操作スイッチが操作されたときに操作データを発信することを特徴とする作業者支援システム。
【請求項４】
作業者に携帯されＩＤデータを自動的に発信する無線タグと、受信エリア内の前記無線タグから発信される前記ＩＤデータを受信する無線受信機と、前記無線受信機により前記ＩＤデータを受信した場合と受信しない場合とで異なる表示を行う表示手段と、前記無線受信機による前記ＩＤデータの受信状態をネットワークを介して監視し前記作業者の入退場管理を行う情報処理装置とを具備し、前記無線タグは、操作スイッチを具備し、前記操作スイッチが操作されたときに操作データを発信し、前記無線受信機は、前記操作データを受信し、前記表示手段は、前記無線受信機により前記操作データを受信した場合と受信しない場合とで異なる表示を行い、前記情報処理装置は、前記無線受信機により前記操作データを受信した場合の表示を受信しない場合の表示に戻すリセット手段を具備することを特徴とする作業者支援システム。
【請求項５】
請求項１から請求項４のいずれかに記載の作業者支援システムにおいて、前記無線受信機の受信感度を調整可能であることを特徴とする作業者支援システム。
【請求項６】
請求項２に記載の作業者支援システムにおいて、前記無線受信機は、前記ＩＤデータの受信時刻を前記情報処理装置に通知することを特徴とする作業者支援システム。
【請求項７】
請求項１から請求項６のいずれかに記載の作業者支援システムにおいて、前記無線受信機は、漏洩アンテナを具備することを特徴とする作業者支援システム。
【請求項８】
ゲートを通行する作業者に携帯されＩＤデータを発信しうる無線タグと、前記ゲートの内側に第１の受信エリアを有し該第１の受信エリア内の前記無線タグから発信される前記ＩＤデータを受信する第１の無線受信機と、前記ゲートの外側に第２の受信エリアを有し該第２の受信エリア内の前記無線タグから発信される前記ＩＤデータを受信する第２の無線受信機と、前記第１の無線受信機および第２の無線受信機によって前記ＩＤデータを受信した順序をネットワークを介して監視し前記作業者の入退場管理を行う情報処理装置とを具備したことを特徴とする作業者支援システム。
【請求項９】
ゲートを通行する作業者に携帯されＩＤデータを発信しうる無線タグと、前記ゲートの内側に第１の受信エリアを有し該第１の受信エリア内の前記無線タグから発信される前記ＩＤデータを受信する第１の無線受信機と、前記ゲートの外側に第２の受信エリアを有し該第２の受信エリア内の前記無線タグから発信される前記ＩＤデータを受信する第２の無線受信機と、前記第１の無線受信機および第２の無線受信機によって前記ＩＤデータを受信した順序に基づいて異なる表示を行う表示手段とを具備したことを特徴とする作業者支援システム。
【請求項１０】
請求項８または請求項９に記載の作業者支援システムにおいて、前記無線タグは、操作スイッチを具備し、前記操作スイッチが操作されたときに操作データを発信することを特徴とする作業者支援システム。
【請求項１１】
請求項１または請求項９に記載の作業者支援システムにおいて、前記無線タグは、操作スイッチを具備し、前記操作スイッチが操作されたときに操作データを発信し、前記無線受信機は、前記操作データを受信し、前記表示手段は、前記無線受信機により特定ＩＤデータ以外のＩＤデータに係る前記操作データを受信した場合と受信しない場合とで異なる表示を行うと共に前記前記無線受信機により特定ＩＤデータのＩＤデータに係る前記操作データを受信した場合は前記無線受信機により特定ＩＤデータ以外のＩＤデータに係る前記操作データを受信した場合の表示を受信しない場合の表示に戻すことを特徴とする作業者支援システム。
【請求項１２】
ＩＤデータを発信しうるＩＤデータ発信手段と、操作スイッチと、前記操作スイッチが操作されたとき操作データを発信する操作データ発信手段とを具備したことを特徴とする無線タグ。
【発明の詳細な説明】
【技術分野】
【０００１】
本発明は、作業者支援システムおよび無線タグに関し、さらに詳しくは、作業者の負担を軽減するための作業者支援システムおよび無線タグに関する。
【背景技術】
【０００２】
従来、作業者が携帯するＩＤカードに印刷したバーコードをバーコードリーダで読み取りコンピュータに記録することによって、作業記録を作成する作業記録収集システムが知られている（例えば、特許文献１参照。）。
【特許文献１】特開２０００−９９４９２号公報
【発明の開示】
【発明が解決しようとする課題】
【０００３】
上記従来の作業記録収集システムでは、作業開始時や作業終了時にバーコードリーダで作業者のＩＤカードを読み取っている。
しかし、作業者数が多い場合や作業開始と作業終了が短いインターバルで頻繁に繰り返される場合には、バーコードリーダでＩＤカードを読み取る操作が大きな負担になる問題点がある。さらに、作業者がＩＤカードを読み取らせずに作業場を抜け出すと作業記録が不正確になるため、上位作業者が作業者の存否を注意して監視する必要があり、負担が大きくなる問題点がある。
そこで、本発明の目的は、作業者の負担を軽減することが出来る作業者支援システムおよび無線タグを提供することにある。
【課題を解決するための手段】
【０００４】
第１の観点では、本発明は、作業者に携帯されＩＤデータを自動的に発信する無線タグと、受信エリア内の前記無線タグから発信される前記ＩＤデータを受信する無線受信機と、前記無線受信機により前記ＩＤデータを受信した場合と受信しない場合とで異なる表示を行う表示手段とを具備したことを特徴とする作業者支援システムを提供する。
上記第１の観点による作業者支援システムでは、作業者が携帯する無線タグから自動的に発信されたＩＤデータを受信した場合と受信しない場合とで異なる表示を行うため、表示を見るだけで作業者の存否を確認できる。よって、上位作業者が作業者の存否を注意して監視し続ける必要がなくなり、負担を軽減できる。
【０００５】
第２の観点では、本発明は、作業者に携帯されＩＤデータを自動的に発信する無線タグと、受信エリア内の前記無線タグから発信される前記ＩＤデータを受信する無線受信機と、前記無線受信機による前記ＩＤデータの受信状態をネットワークを介して監視し前記作業者の入退場管理を行う情報処理装置とを具備したことを特徴とする作業者支援システムを提供する。
上記第２の観点による作業者支援システムでは、作業者が携帯する無線タグから自動的に発信されたＩＤデータを受信して作業者の入退場管理を行うため、ＩＤカードを読み取らせる操作が不要となり、作業者数が多い場合や作業開始と作業終了が短いインターバルで頻繁に繰り返される場合でも、負担がかからなくなる。また、作業者が作業場を抜け出しても正確に作業記録に記録されるため、上位作業者が作業者の存否を注意して監視する必要がなくなり、負担を軽減できる。
【０００６】
第３の観点では、本発明は、上記構成の作業者支援システムにおいて、前記無線タグは、操作スイッチを具備し、前記操作スイッチが操作されたときに操作データを発信することを特徴とする作業者支援システムを提供する。
上記第３の観点による作業者支援システムでは、作業者が携帯している無線タグの操作スイッチを操作することで意思表示できる。これにより、例えば部品の補給を要求したり、上位作業者を呼ぶために、作業者が声を上げたり挙手したりする必要がなくなり、負担を軽減できる。
【０００７】
第４の観点では、本発明は、作業者に携帯されＩＤデータを自動的に発信する無線タグと、受信エリア内の前記無線タグから発信される前記ＩＤデータを受信する無線受信機と、前記無線受信機により前記ＩＤデータを受信した場合と受信しない場合とで異なる表示を行う表示手段と、前記無線受信機による前記ＩＤデータの受信状態をネットワークを介して監視し前記作業者の入退場管理を行う情報処理装置とを具備し、前記無線タグは、操作スイッチを具備し、前記操作スイッチが操作されたときに操作データを発信し、前記無線受信機は、前記操作データを受信し、前記表示手段は、前記無線受信機により前記操作データを受信した場合と受信しない場合とで異なる表示を行い、前記情報処理装置は、前記無線受信機により前記操作データを受信した場合の表示を受信しない場合の表示に戻すリセット手段を具備することを特徴とする作業者支援システムを提供する。
上記第４の観点による作業者支援システムでは、作業者が携帯する無線タグから自動的に発信されたＩＤデータを受信した場合と受信しない場合とで異なる表示を行うため、表示を見るだけで作業者の存否を確認できる。よって、上位作業者が作業者の存否を注意して監視し続ける必要がなくなり、負担を軽減できる。
また、作業者が携帯する無線タグから自動的に発信されたＩＤデータを受信して作業者の入退場管理を行うため、ＩＤカードを読み取らせる操作が不要となり、作業者数が多い場合や作業開始と作業終了が短いインターバルで頻繁に繰り返される場合でも、負担がかからなくなる。また、作業者が作業場を抜け出しても正確に作業記録に記録されるため、上位作業者が作業者の存否を注意して監視する必要がなくなり、負担を軽減できる。
また、作業者が携帯している無線タグの操作スイッチを操作することで意思表示できる。これにより、例えば部品の補給を要求したり、上位作業者を呼ぶために、作業者が声を上げたり挙手したりする必要がなくなり、負担を軽減できる。
さらに、作業者の要求を満たした後は、情報処理装置から表示をリセットするため、作業者の要求があったことを情報処理装置で必ず認識できる。
【０００８】
第５の観点では、本発明は、上記構成の作業者支援システムにおいて、前記無線受信機の受信感度を調整可能であることを特徴とする作業者支援システムを提供する。
上記第５の観点による作業者支援システムでは、作業領域に合わせて受信エリアを所望の広さに設定できる。
【０００９】
第６の観点では、本発明は、上記構成の作業者支援システムにおいて、前記無線受信機は、前記ＩＤデータの受信時刻を前記情報処理装置に通知することを特徴とする作業者支援システムを提供する。
上記第６の観点による作業者支援システムでは、ＩＤデータを受信した時刻を無線受信機側で検知するので、無線受信機から情報処理装置への通知に遅延時間があっても、正確な作業時間管理を行うことが出来る。
【００１０】
第７の観点では、本発明は、上記構成の作業者支援システムにおいて、前記無線受信機は、漏洩アンテナを具備することを特徴とする作業者支援システムを提供する。
上記第７の観点による作業者支援システムでは、漏洩アンテナを用いるので、生産ラインに沿った細長い受信エリアを構築するのに好適である。
【００１１】
第８の観点では、本発明は、ゲートを通行する作業者に携帯されＩＤデータを発信しうる無線タグと、前記ゲートの内側に第１の受信エリアを有し該第１の受信エリア内の前記無線タグから発信される前記ＩＤデータを受信する第１の無線受信機と、前記ゲートの外側に第２の受信エリアを有し該第２の受信エリア内の前記無線タグから発信される前記ＩＤデータを受信する第２の無線受信機と、前記第１の無線受信機および第２の無線受信機によって前記ＩＤデータを受信した順序をネットワークを介して監視し前記作業者の入退場管理を行う情報処理装置とを具備したことを特徴とする作業者支援システムを提供する。
上記第８の観点による作業者支援システムでは、作業者が携帯する無線タグから発信されたＩＤデータを受信した順序に応じて作業者の入退場管理を行うため、ＩＤカードを読み取らせる操作が不要となり、作業者数が多い場合や作業開始と作業終了が短いインターバルで頻繁に繰り返される場合でも、負担がかからなくなる。また、作業者が作業場を抜け出しても正確に作業記録に記録されるため、上位作業者が作業者の存否を注意して監視する必要がなくなり、負担を軽減できる。また、第１の受信エリアおよび第２の受信エリアが小さくて済む。なお、第１の受信エリアは、作業場をカバーするような大きさであってもよい。
【００１２】
第９の観点では、本発明は、ゲートを通行する作業者に携帯されＩＤデータを発信しうる無線タグと、前記ゲートの内側に第１の受信エリアを有し該第１の受信エリア内の前記無線タグから発信される前記ＩＤデータを受信する第１の無線受信機と、前記ゲートの外側に第２の受信エリアを有し該第２の受信エリア内の前記無線タグから発信される前記ＩＤデータを受信する第２の無線受信機と、前記第１の無線受信機および第２の無線受信機によって前記ＩＤデータを受信した順序に基づいて異なる表示を行う表示手段とを具備したことを特徴とする作業者支援システムを提供する。
上記第９の観点による作業者支援システムでは、作業者が携帯する無線タグから発信されたＩＤデータを受信した順序に応じて異なる表示を行うため、表示を見るだけで作業者の存否を確認できる。よって、上位作業者が作業者の存否を注意して監視し続ける必要がなくなり、負担を軽減できる。また、第１の受信エリアおよび第２の受信エリアが小さくて済む。なお、第１の受信エリアは、作業場をカバーするような大きさであってもよい。
【００１３】
第１０の観点では、本発明は、上記構成の作業者支援システムにおいて、前記無線タグは、操作スイッチを具備し、前記操作スイッチが操作されたときに操作データを発信することを特徴とする作業者支援システムを提供する。
上記第１０の観点による作業者支援システムでは、作業者が携帯している無線タグの操作スイッチを操作することで意思表示できる。これにより、例えば部品の補給を要求したり、上位作業者を呼ぶために、作業者が声を上げたり挙手したりする必要がなくなり、負担を軽減できる。
【００１４】
第１１の観点では、本発明は、上記構成の作業者支援システムにおいて、前記無線タグは、操作スイッチを具備し、前記操作スイッチが操作されたときに操作データを発信し、前記無線受信機は、前記操作データを受信し、前記表示手段は、前記無線受信機により特定ＩＤデータ以外のＩＤデータに係る前記操作データを受信した場合と受信しない場合とで異なる表示を行うと共に前記前記無線受信機により特定ＩＤデータのＩＤデータに係る前記操作データを受信した場合は前記無線受信機により特定ＩＤデータ以外のＩＤデータに係る前記操作データを受信した場合の表示を受信しない場合の表示に戻すことを特徴とする作業者支援システムを提供する。
上記第１１の観点による作業者支援システムでは、特定ＩＤデータ以外のＩＤデータを持つ作業者が携帯している無線タグの操作スイッチを操作することで意思表示できる。これにより、例えば部品の補給を要求したり、上位作業者を呼ぶために、作業者が声を上げたり挙手したりする必要がなくなり、負担を軽減できる。
さらに、作業者の要求を満たした後は、特定ＩＤデータを持つ上位作業者が携帯している無線タグの操作スイッチを操作することで表示をリセットすることが出来る。
【００１５】
第１２の観点では、本発明は、ＩＤデータを発信しうるＩＤデータ発信手段と、操作スイッチと、前記操作スイッチが操作されたとき操作データを発信する操作データ発信手段とを具備したことを特徴とする無線タグを提供する。
上記第１２の観点による無線タグでは、作業者が携帯している無線タグの操作スイッチを操作することで意思表示できる。これにより、例えば部品の補給を要求したり、上位作業者を呼ぶために、作業者が声を上げたり挙手したりする必要がなくなり、負担を軽減できる。
なお、上記構成において、ＩＤデータ発信手段は、ＩＤデータを自動的に発信するものであってもよいし、呼出電波を受信するとそれに応答してＩＤデータを発信しうるものであってもよい。
【発明の効果】
【００１６】
本発明の作業者支援システムおよび無線タグによれば、作業者の負担を軽減できる。
【発明を実施するための最良の形態】
【００１７】
以下、図に示す実施の形態により本発明をさらに詳細に説明する。なお、これにより本発明が限定されるものではない。
【実施例１】
【００１８】
図１は、実施例１にかかる作業者支援システム１００を示す構成図である。
この作業者支援システム１００は、各作業者Ｗａ〜Ｗｅにそれぞれ携帯され操作スイッチ２ａ〜２ｅをそれぞれが有する無線タグ１ａ〜１ｅと、作業工程や生産ラインにより区画された作業場Ｐごとに設置され無線タグ１ａ〜１ｅから受信したデータおよび情報処理装置７からの指令に基づいて表示装置５を制御すると共に情報処理装置７からの指令に基づいて感度を変更しうる無線受信機３と、作業場Ｐ内だけを受信エリア３Ａとするように設置された漏洩アンテナ３Ｂと、各作業者Ｗａ〜Ｗｅの出欠状態の表示および呼出合図の表示を行うための表示灯Ｌａ〜Ｌｅを有する表示装置５と、無線受信機３と情報処理装置７とを結ぶネットワーク６と、無線受信機３で受信したデータにより作業者の入退場管理等を行う情報処理装置７と、情報処理装置７が参照するデータベース８とを具備している。
【００１９】
図２は、無線タグ１ａの構成を示すブロック図である。
無線タグ１ａは、給電用電波を受信するためのアンテナ１１ａおよび受信回路１２ａと、受信した給電用電波から電力を得て各部へ給電する電力供給回路１３ａと、充電電池１４ａと、処理回路１５ａとを具備している。
処理回路１５ａは、ＩＤデータａや操作データａ’等のデータやプログラムを記憶しているメモリ１６ａと、所定インターバル毎（例えば約５秒間毎）に自動的にＩＤデータａを発信すると共に操作スイッチ２ａが操作された時に直ちに操作データａ’を発信する制御を行うマイコン１７ａと、ＩＤデータａや操作データａ’を発信する電波を送信するための送信回路１８ａおよびアンテナ１９ａとを具備している。
【００２０】
なお、他の無線タグ１ｂ〜１ｅも同じ構成である。但し、これらは、ＩＤデータｂ〜ｅや操作データｂ’〜ｅ’をそれぞれ発信する。
また、無線タグ１ａ〜１ｅがＩＤデータａ〜ｅを発信するインターバルは少しずつ異なっており、どの無線タグも他と衝突せずにＩＤデータを発信する機会が所定期間（例えば１分間）内に少なくとも１回ある。
【００２１】
図３は、無線受信機３の動作を示すフロー図である。
ステップＰ１では、無線受信機３が内蔵するＩＤデータのリストをクリアし、所定時間経過（例えば１分間経過）でタイムアップするタイマをスタートする。
【００２２】
ステップＰ２では、情報処理装置７からネットワーク６を介して感度変更指令を受けたかチェックし、受けたならステップＰ３へ進み、受けていないならステップＰ４へ進む。
ステップＰ３では、感度変更指令に従って感度を変更する。そして、ステップＳ４へ進む。
【００２３】
ステップＰ４では、情報処理装置７からネットワーク６を介してリセット指令を受けたかチェックし、受けたならステップＰ５へ進み、受けていないならステップＰ６へ進む。
ステップＰ５では、表示装置５の点滅している表示灯を消灯する。そして、ステップＳ６へ進む。
【００２４】
ステップＰ６では、無線タグ１ａ〜１ｅのいずれかから操作データを受信したかチェックし、受信したならステップＰ７へ進み、受信してないならステップＰ１１へ進む。
ステップＰ７では、受信した操作データおよび受信時刻を情報処理装置７にネットワーク６を介して報告する。なお、情報処理装置７が複数の作業場を管理しているなら、無線受信機３が担当している作業場データも情報処理装置７に報告する。
ステップＰ８では、受信した操作データが上位作業者Ｗａの無線タグ１ａからのものか否かをチェックし、上位作業者Ｗａの無線タグ１ａからの操作データでないならステップＰ９へ進み、上位作業者Ｗａの無線タグ１ａからの操作データならステップＰ１０へ進む。
ステップＰ９では、受信した操作データに対応する表示装置５の表示灯を点滅にする。そして、ステップＰ１１へ進む。
【００２５】
ステップＰ１０では、表示装置５の点滅している表示灯を消灯する。そして、ステップＳ１１へ進む。
【００２６】
ステップＰ１１では、無線タグ１ａ〜１ｅのいずれかからＩＤデータを受信したかチェックし、受信したならステップＰ１３へ進み、受信してないならステップＰ１５へ進む。
ステップＰ１３では、受信したＩＤデータおよび受信時刻をリストに登録する。そして、ステップＰ１５へ進む。
【００２７】
ステップＰ１５では、タイマがタイムアップしたかチェックし、タイムアップしたならステップＰ１６へ進み、タイムアップ前ならステップＰ２へと戻る。
【００２８】
ステップＰ１６では、リストに登録したＩＤデータおよび受信時刻を情報処理装置７にネットワーク６を介して報告する。なお、情報処理装置７が複数の作業場を管理しているなら、無線受信機３が担当している作業場データも情報処理装置７に報告する。
ステップＰ１７では、リストに登録したＩＤデータに対応する表示装置５の表示灯のみを点灯にする。そして、ステップＰ１へと戻る。
【００２９】
図４は、情報処理装置７の動作を示すフロー図である。
ステップＱ１では、管理者が感度変更を指示したか否かチェックし、感度変更が指示されたならステップＱ２へ進み、感度変更が指示されてないならステップＱ３へ進む。
ステップＱ２では、無線受信機３へネットワーク６を介して感度変更指令を送る。そして、ステップＱ３へ進む。
【００３０】
ステップＱ３では、管理者がリセットを指示したか否かチェックし、リセットが指示されたならステップＱ４へ進み、リセットが指示されてないならステップＱ５へ進む。
ステップＱ４では、無線受信機３へネットワーク６を介してリセット指令を送る。そして、ステップＱ５へ進む。
【００３１】
ステップＱ５では、無線受信機３からネットワーク６を介して報告を受けたかチェックし、受けたならステップＱ６へ進み、受けてないならステップＱ１へと戻る。
ステップＱ６では、報告内容によりデータベース８を更新する。すなわち、報告に含まれていた各ＩＤデータについてデータベース８で最後の記録が「退場時刻」になっているもの又は「入場時刻」の記録が１回もないものは該ＩＤデータに対応する作業者の「入場時刻」に受信時刻を追加する（データベース８で最後の記録が「入場時刻」又は「操作時刻」になっているものは追加しない）。また、データベース８で最後の記録が「入場時刻」又は「操作時刻」になっているものであって報告に含まれていなかった各ＩＤデータについては現在時刻を該ＩＤデータに対応する作業者の「退場時刻」として追加する（データベース８で最後の記録が「退場時刻」になっているものは追加しない）。さらに、報告に含まれていた操作データの受信時刻は、作業者の「操作時刻」として追加する。そして、ステップＱ１へと戻る。
【００３２】
図５は、上位作業者Ｗａの無線タグ１ａに関するデータベース８の内容を示す概念図である。
「入場時刻」は、上位作業者Ｗａが作業場Ｐ（受信エリア３Ｂ）に入った時刻である。
「退場時刻」は、上位作業者Ｗａが作業場Ｐ（受信エリア３Ｂ）から出た時刻である。
「操作時刻」は、上位作業者Ｗａが作業場Ｐ（受信エリア３Ｂ）内で無線タグ１ａの操作スイッチ２ａを操作した時刻である。
【００３３】
図６は、上位作業者Ｗａに指揮される作業者Ｗｂの無線タグ１ｂに関するデータベース８の内容を示す概念図である。
「入場時刻」は、作業者Ｗｂが作業場Ｐ（受信エリア３Ｂ）に入った時刻である。
「退場時刻」は、作業者Ｗｂが作業場Ｐ（受信エリア３Ｂ）から出た時刻である。
「操作時刻」は、作業者Ｗｂが作業場Ｐ（受信エリア３Ｂ）内で無線タグ１ｂの操作スイッチ２ｂを操作した時刻である。
【００３４】
実施例１の作業者支援システム１００および無線タグ１ａ〜１ｅによれば、次の効果が得られる。
（１）無線タグ１ａ〜１ｅを携帯した作業者Ｗａ〜Ｗｅが作業場Ｐへ居ると対応する表示灯Ｌａ〜Ｌｅが点灯し、作業場Ｐに居ないと対応する表示灯Ｌａ〜Ｌｅが消灯するので、作業者の入退場状態を容易に確認できる。
（２）作業者Ｗａ〜Ｗｅの入退場時刻が情報処理装置７で蓄積され、正確な入退場管理を行える。
（３）作業者Ｗｂ〜Ｗｅが無線タグ１ｂ〜１ｅの操作スイッチ２ｂ〜２ｅを操作すれば、対応する表示灯Ｌｂ〜Ｌｅが点滅するので、要求を迅速に通知することが出来る（例えば、上位作業者２ａを呼ぶ、部品の追加を要求する等）。
（４）作業者Ｗａが無線タグ１ａの操作スイッチ２ａを操作すれば、表示灯Ｌｂ〜Ｌｅの点滅をリセットできる。
（５）情報処理装置７からリセット指令を送ることで、表示灯Ｌｂ〜Ｌｅの点滅をリセットできる。
（６）情報処理装置７から感度変更指令を送ることで、無線受信機３の受信感度を調整でき、作業状況や作業者Ｗａ〜Ｗｅの配置などに応じて受信エリア３Ｂを設定できる。
（７）漏洩アンテナ３Ａの引き回しを変えることで、無線受信機３の受信感度を調整でき、作業状況や作業者Ｗａ〜Ｗｅの配置などに応じて受信エリア３Ｂを設定できる。
【００３５】
なお、表示装置５の表示灯Ｌａ〜Ｌｅの状態を点灯／消灯／点滅としたが、緑／黄／赤のように色を変化させてもよい。また、文字列や図形を表示する表示装置を用いてもよい。また、音声出力装置を加えて、操作データが発信されたことを音響により報知するようにしてもよい。
【実施例２】
【００３６】
図７は、実施例２にかかる作業者支援システム２００を示す構成図である。
この作業者支援システム２００は、各作業者Ｗａ〜Ｗｅにそれぞれ携帯され操作スイッチ２ａ〜２ｅをそれぞれが有する無線タグ１０ａ〜１０ｅと、作業工程や生産ラインにより区画された作業場Ｐごとに設置され無線タグ１０ａ〜１０ｅから受信したデータおよび情報処理装置７からの指令に基づいて表示装置５を制御すると共に情報処理装置７からの指令に基づいて感度を変更しうる無線送受信機３０と、作業場Ｐ内だけを受信エリア３Ａとするように設置された漏洩アンテナ３Ｂと、作業場ＰのゲートＧの内側直近だけを第１感度エリア３ｉとするように設置された第１アンテナ３１と、作業場ＰのゲートＧの外側直近だけを第２感度エリア３ｏとするように設置された第２アンテナ３２と、各作業者Ｗａ〜Ｗｅの出欠状態の表示および呼出合図の表示を行うための表示灯Ｌａ〜Ｌｅを有する表示装置５と、無線送受信機３０と情報処理装置７とを結ぶネットワーク６と、無線送受信機３０で受信したデータにより作業者の入退場管理等を行う情報処理装置７と、情報処理装置７が参照するデータベース８とを具備している。
【００３７】
第１アンテナ３１および第２アンテナ３２は、多素子八木型空中線またはパラボラ空中線などの指向性の鋭い形式である。
【００３８】
図８は、無線タグ１０ａの構成を示すブロック図である。
無線タグ１０ａは、給電用電波を受信するためのアンテナ１１ａおよび受信回路１２ａと、受信した給電用電波から電力を得て各部へ給電する電力供給回路１３ａと、充電電池１４ａと、処理回路２５ａとを具備している。
処理回路２５ａは、ＩＤデータａや操作データａ’等のデータやプログラムを記憶しているメモリ１６ａと、呼出電波を受信するとそれに応答してＩＤデータａを発信すると共に操作スイッチ２ａが操作された時に直ちに操作データａ’を発信する制御を行うマイコン１７ａと、ＩＤデータａや操作データａ’を発信する電波を送信すると共に呼出電波を受信するための送受信回路２０ａおよびアンテナ１９ａとを具備している。
【００３９】
なお、他の無線タグ１０ｂ〜１０ｅも同じ構成である。但し、これらは、ＩＤデータｂ〜ｅや操作データｂ’〜ｅ’をそれぞれ発信する。
また、作業場のゲートＧは作業者が一人ずつ通るようになっており、第１アンテナ３１および第２アンテナ３２から送信される呼出電波に応じてどの無線タグも他と衝突せずにＩＤデータを発信することが出来る。
【００４０】
図９は、無線送受信機３０の動作を示すフロー図である。
ステップＰ０では、第１アンテナ３１および第２アンテナ３２から呼出電波の送信を開始する。
ステップＰ１’では、無線受信機３が内蔵するＩＤデータのリストをクリアする。
【００４１】
ステップＰ２では、情報処理装置７からネットワーク６を介して感度変更指令を受けたかチェックし、受けたならステップＰ３へ進み、受けていないならステップＰ４へ進む。
ステップＰ３では、感度変更指令に従って、漏洩アンテナ３Ｂでの感度，第１アンテナ３１での感度および第２アンテナ３２での感度を変更する。そして、ステップＳ４へ進む。
【００４２】
ステップＰ４では、情報処理装置７からネットワーク６を介してリセット指令を受けたかチェックし、受けたならステップＰ５へ進み、受けていないならステップＰ６へ進む。
ステップＰ５では、表示装置５の点滅している表示灯を消灯する。そして、ステップＳ６へ進む。
【００４３】
ステップＰ６では、無線タグ１０ａ〜１０ｅのいずれかから操作データを受信したかチェックし、受信したならステップＰ７へ進み、受信してないならステップＰ１１へ進む。
ステップＰ７では、受信した操作データおよび受信時刻を情報処理装置７にネットワーク６を介して報告する。なお、情報処理装置７が複数の作業場を管理しているなら、無線受信機３が担当している作業場データも情報処理装置７に報告する。
ステップＰ８では、受信した操作データが上位作業者Ｗａの無線タグ１０ａからのものか否かをチェックし、上位作業者Ｗａの無線タグ１０ａからの操作データでないならステップＰ９へ進み、上位作業者Ｗａの無線タグ１０ａからの操作データならステップＰ１０へ進む。
ステップＰ９では、受信した操作データに対応する表示装置５の表示灯を点滅にする。そして、ステップＰ１１へ進む。
【００４４】
ステップＰ１０では、表示装置５の点滅している表示灯を消灯する。そして、ステップＳ１１へ進む。
【００４５】
ステップＰ１１では、無線タグ１０ａ〜１０ｅのいずれかからＩＤデータを受信したかチェックし、受信したならステップＰ１２へ進み、受信してないならステップＰ２へと戻る。
【００４６】
ステップＰ１２では、ＩＤデータの受信順序が第２アンテナ３２から第１アンテナ３１ならステップＰ１３へ進み、第１アンテナ３１から第２アンテナ３２ならステップＰ１４へ進む。
【００４７】
ステップＰ１３では、受信したＩＤデータおよび受信時刻をリストに登録する。そして、ステップＰ１６へ進む。
【００４８】
ステップＰ１４では、受信したＩＤデータおよび登録されている受信時刻をリストから削除する。そして、ステップＰ１６へ進む。
【００４９】
ステップＰ１６では、リストに登録したＩＤデータおよび受信時刻を情報処理装置７にネットワーク６を介して報告する。なお、情報処理装置７が複数の作業場を管理しているなら、無線受信機３が担当している作業場データも情報処理装置７に報告する。
ステップＰ１７では、リストに登録したＩＤデータに対応する表示装置５の表示灯のみを点灯にする。そして、ステップＰ２へと戻る。
【００５０】
情報処理装置７の動作は、実施例１と同様である。
【００５１】
実施例２の作業者支援システム２００および無線タグ１０ａ〜１０ｅによれば、次の効果が得られる。
（１）無線タグ１０ａ〜１０ｅを携帯した作業者Ｗａ〜ＷｅがゲートＧを通って作業場Ｐに入ると対応する表示灯Ｌａ〜Ｌｅが点灯し、ゲートＧを通って作業場Ｐから出ると対応する表示灯Ｌａ〜Ｌｅが消灯するので、作業者の入退場状態を容易に確認できる。
（２）作業者Ｗａ〜Ｗｅの入退場時刻が情報処理装置７で蓄積され、正確な入退場管理を行える。
（３）作業者Ｗｂ〜Ｗｅが無線タグ１０ｂ〜１０ｅの操作スイッチ２ｂ〜２ｅを操作すれば、対応する表示灯Ｌｂ〜Ｌｅが点滅するので、要求を迅速に通知することが出来る（例えば、上位作業者２ａを呼ぶ、部品の追加を要求する等）。
（４）作業者Ｗａが無線タグ１０ａの操作スイッチ２ａを操作すれば、表示灯Ｌｂ〜Ｌｅの点滅をリセットできる。
（５）情報処理装置７からリセット指令を送ることで、表示灯Ｌｂ〜Ｌｅの点滅をリセットできる。
（６）情報処理装置７から感度変更指令を送ることで、無線受信機３の受信感度を調整でき、作業状況や作業者Ｗａ〜Ｗｅの配置などに応じて受信エリア３Ｂ，第１感度エリア３ｉおよび第２感度エリア３ｏを設定できる。
（７）漏洩アンテナ３Ａの引き回しを変えることで、無線受信機３の受信感度を調整でき、作業状況や作業者Ｗａ〜Ｗｅの配置などに応じて受信エリア３Ｂを設定できる。
（８）無線タグ１０ａ〜１０ｅは、必要時のみ電波を発信するので、充電電池１４ａの消耗が少なくて済む。
【産業上の利用可能性】
【００５２】
本発明の作業者支援システムおよび無線タグは、作業者の勤務状態を把握するために利用できる。
【図面の簡単な説明】
【００５３】
【図１】実施例１に係る作業者支援システムを示す構成図である。
【図２】実施例１に係る無線タグを示すブロック図である。
【図３】実施例１に係る無線受信機の動作を示すフロー図である。
【図４】実施例１に係る情報処理装置の動作を示すフロー図である。
【図５】ある作業者のデータベースの内容を示す概念図である。
【図６】別の作業者のデータベースの内容を示す概念図である。
【図７】実施例２に係る作業者支援システムを示す構成図である。
【図８】実施例２に係る無線タグを示すブロック図である。
【図９】実施例２に係る無線送受信機の動作を示すフロー図である。
【符号の説明】
【００５４】
１ａ〜１ｅ                    無線タグ
２ａ〜２ｅ                    操作スイッチ
３                            無線受信機
３Ａ                          受信エリア
３Ｂ                          漏洩アンテナ
３ｉ                          第１感度エリア
３ｏ                          第２感度エリア
５                            表示装置
６                            ネットワーク
７                            情報処理装置
８                            データベース
１０ａ〜１０ｅ                無線タグ
３０                          無線送受信機
３１                          第１アンテナ
３２                          第２アンテナ
１００，２００                作業者支援システム
Ｐ                            作業場
Ｇ                            ゲート
Ｌａ〜Ｌｅ                    表示灯
Ｗａ〜Ｗｅ                    作業者
【図１】
2005173844.tif 000003
【図２】
2005173844.tif 000004
【図３】
2005173844.tif 000005
【図４】
2005173844.tif 000006
【図５】
2005173844.tif 000007
【図６】
2005173844.tif 000008
【図７】
2005173844.tif 000009
【図８】
2005173844.tif 000010
【図９】
2005173844.tif 000011